(57)【要約】【課題】複数の検知温度に基づいて調理容器に入った被加熱物の状態を判断し、加熱時の失敗を防ぐことができる。【解決手段】被加熱物１の入った調理容器２と、容器載置部３と、誘導加熱コイル４と、第１の温度検知手段６と、第２の温度検知手段７と、制御手段８を備え、第１の温度検知手段６と第２の温度検知手段７の検知信号から調理容器２の被加熱物１の状態を判断し、誘導加熱コイル４を構成する誘導加熱コイル外４ａ、誘導加熱コイル内４ｂの通電を制御するので、加熱時の失敗を防ぐことができる。【選択図】図１
2008135201.tif 000002
【特許請求の範囲】
【請求項１】
被加熱物を入れた調理容器と、前記調理容器を載置する容器載置部と、前記容器載置部の下側に位置し前記調理容器を加熱する多重巻き構成の誘導加熱コイルと、前記誘導加熱コイルを制御する制御手段と、前記誘導加熱コイルの磁力線密度の高い領域と磁力線密度の低い領域にそれぞれ配設された前記調理容器温度測定用の複数の温度検知手段を備えた誘導加熱調理器において、前記制御手段は、前記温度検知手段が検知する温度信号の時間的変化分から前記調理容器中の前記被加熱物の状態を判断する第一工程と、前記第一工程の結果に基づいて前記誘導加熱コイルを制御して前記被加熱物を加熱する第二工程とを有する誘導加熱調理器。
【請求項２】
誘導加熱コイルは、構成する各コイルを単独で駆動制御できる構成とした請求項１に記載の誘導加熱調理器。
【請求項３】
制御手段は、第一工程において温度検知手段が検知する温度信号の時間的変化分が所定値以上の場合は被加熱物が液体または液体と固形物の混合状態であると判断する請求項１または２に記載の誘導加熱調理器。
【請求項４】
制御手段は、第一工程において温度検知手段が検知する温度信号の時間的変化分が所定値未満の場合は被加熱物が固体であると判断する請求項１または２に記載の誘導加熱調理器。
【請求項５】
制御手段は、第一工程おいて被加熱物の状態を判断すると、前記誘導加熱コイルへの通電容量を可変制御する請求項１〜４に記載の誘導加熱調理器。
【請求項６】
制御手段は、第二工程において温度検知手段の検知信号に基づいて、通電容量が所定値以下の場合は低温側の誘導加熱コイルへの入力電力を増やし、通電容量が所定値以上の場合は高温側の誘導加熱コイルへの入力電力を減らす請求項２に記載の誘導加熱調理器。
【請求項７】
制御手段は、時間計測手段を設け、加熱開始から所定時間経過後に使用者に報知する請求項１〜４のいずれか１項に記載の誘導加熱調理器。
【発明の詳細な説明】
【技術分野】
【０００１】
本発明は、誘導加熱コイルを有する誘導加熱手段を用いて、被加熱物の入った調理容器を加熱する誘導加熱調理器に関するものである。
【背景技術】
【０００２】
従来、この種の誘導加熱調理器において、調理容器の温度を検出するために複数の温度検出手段を備えたものが知られている（例えば、特許文献１参照）。
【特許文献１】特開２００６−１２６０６号公報
【発明の開示】
【発明が解決しようとする課題】
【０００３】
しかしながら、前記従来の構成は、調理容器の変形により温度検出精度が低下することを防ぐことを目的としているものであって、調理容器内の被加熱物の状態、例えば被加熱物が固体か液体かなどを検出するものではなく、被加熱物の状態に適した加熱調理が行なえるものではないという課題を有していた。また、被加熱物の状態に基づいて誘導加熱コイルの動作制御を行なうものではないという課題を有していた。
【０００４】
本発明は、前記従来の課題を解決するもので、調理容器内の被加熱物の状態を判断し、被加熱物に適した加熱調理が行なえる誘導加熱調理器を提供することを目的とする。
【課題を解決するための手段】
【０００５】
前記従来の課題を解決するために、本発明の誘導加熱調理器は、調理容器の温度を検知し、温度検知手段が検知した温度信号の時間的変化分から調理容器中の被加熱物の状態を判断する第一工程と、第一工程の結果に基づいて多重巻き構成の誘導加熱コイルを制御して被加熱物を加熱する第二工程とを有するものである。
【０００６】
これによって、調理容器中の被加熱物の状態を判断して誘導加熱コイルを制御するので、失敗なく被加熱物を加熱することができる。
【発明の効果】
【０００７】
本発明の誘導加熱調理器は、調理容器中の被加熱物の状態を判断して誘導加熱コイルを制御するので、失敗なく被加熱物を加熱することができる。
【発明を実施するための最良の形態】
【０００８】
第１の発明は、誘導加熱コイルの磁力線密度の高い領域と磁力線密度の低い領域にそれぞれ配設された調理容器温度測定用の複数の温度検知手段を備え、複数の温度検知手段が検知した温度信号の時間的変化分から調理容器中の被加熱物の状態を判断する第一工程と、第一工程の結果に基づいて多重巻き構成の誘導加熱コイルを制御して被加熱物を加熱する第二工程とを有するものである。
【０００９】
これにより、調理容器中の被加熱物の状態を判断して誘導加熱コイルを制御するので、失敗なく被加熱物を加熱することができる。
【００１０】
第２の発明は、特に請求項１に記載の誘導加熱コイルは、構成する各コイルを単独で駆動制御できる構成とするものである。
【００１１】
これにより、被加熱物の状態に応じて誘導加熱コイルを選択して駆動制御できるので、調理の火力調整における失敗を防止し、被加熱物の出来上がり状態を向上することができる。
【００１２】
第３の発明は、特に請求項１または２に記載の制御手段は、第一工程において温度検知手段が検知する温度信号の時間的変化分が所定値以上の場合は被加熱物が液体または液体と固形物の混合状態であると判断するものである。
【００１３】
これにより、調理容器中の被加熱物の状態を判断して誘導加熱コイルを制御するので、失敗なく被加熱物を加熱することができる。
【００１４】
第４の発明は、特に請求項１に記載の制御手段は、第一工程において温度検知手段が検知する温度信号の時間的変化分が所定値未満の場合は被加熱物が固体であると判断するものである。
【００１５】
これにより、調理容器中の被加熱物の状態を判断して誘導加熱コイルを制御するので、失敗なく被加熱物を加熱することができる。
【００１６】
第５の発明は、特に請求項１〜４に記載の制御手段は、第一工程において被加熱物の状態を判断すると、誘導加熱コイルへの通電容量を可変制御手段構成とするものである。
【００１７】
これにより、被加熱物の状態に応じて誘導加熱コイルを制御できるので失敗なく被加熱物を加熱することができる。
【００１８】
第６の発明は、特に請求項２に記載の制御手段は、第二工程において温度検知手段の検知信号に基づいて、通電容量が所定値以下の場合は低温側の誘導加熱コイルへの入力電力を増やし、通電容量が所定値以上の場合は高温側の誘導加熱コイルへの入力電力を減らすものである。
【００１９】
これにより、調理時間を長引かせることなく、また加熱むらを防ぎながら被加熱物を加熱することができる。
【００２０】
第７の発明は、特に請求項１〜４に記載の制御手段は、時間計測手段を設け、加熱開始から所定時間経過後に使用者に報知するものである。
【００２１】
これにより、調理中に使用者が火力調整を忘れた場合においても過加熱を防ぐことができる。
【００２２】
以下、本発明の実施の形態について、図面を参照しながら説明する。なお、この実施の形態によって本発明が限定されるものではない。
【００２３】
（実施の形態１）
図１、図２は、本発明の実施の形態における誘導加熱調理器を示している。
【００２４】
図１に示すように、本実施の形態における誘導加熱調理器は、被加熱物１の入った調理容器２が容器載置部（トッププレート）３に載置され、加熱調理が行なわれる。容器載置部３の下側には調理容器２を加熱する誘導加熱コイル４が配設されている。誘導加熱コイル４は、図２に示すように、同心円状の誘導加熱コイル外４ａ、誘導加熱コイル内４ｂからなる多重巻きコイル構成としている。インバーター回路５は誘導加熱コイル４に高周波電流を供給する。誘導加熱コイル外４ａ、誘導加熱コイル内４ｂは、それぞれ単独で駆動することができる。
【００２５】
第１の温度検知手段６は、多重巻きの誘導加熱コイル４間に配置し、第２の温度検知手段７は、誘導加熱コイル４中央の空間部に配置しており、それぞれ調理容器２または容器載置部３の温度を測定するものである。調理容器２において誘導加熱コイル４に対面した部分は磁力線密度が高いため発熱が大きく、誘導加熱コイル４の中央の空間部に対面する部分は磁力線密度が低いため発熱が小さい。すなわち、調理容器２は、誘導加熱コイル内４ｂの中心部に接した部分は最低温度となり、誘導加熱コイル外４ａと誘導加熱コイル内４ｂに接した部分は最高温度となる。本実施の形態では、第１の温度検知手段６は誘導加熱コイル外４ａと誘導加熱コイル内４ｂの間に、第２の温度検知手段７は誘導加熱コイル内４ｂの中心部にそれぞれ配設している。第１、第２の温度検知手段６、７は、サーミスタや各種金属抵抗体、熱電対あるいは調理容器２の温度を測定する赤外線センサや光センサなどから構成される。
【００２６】
第１の温度検知手段６と第２の温度検知手段７の検知信号は、制御手段８に送られる。制御手段８は、第１の温度検知手段６と第２の温度検知手段７の検知信号に基づき、インバーター回路５の動作を制御して誘導加熱コイル４に所望の高周波電流を供給する。
【００２７】
演算手段９は、被加熱物１の温度や量、各種条件に適した加熱条件を記憶したり、第１、第２の温度検知手段６、７の各検知信号に基づいて、被加熱物１や調理容器２の温度を推定する。時間計測手段１０は、誘導加熱コイル４への通電時間や加熱時間、任意の時間などを計測する。報知手段１１は、音（声）、光、表示、振動あるいはこれらの組み合わせなどの手段を用いて、使用者に所定時間が経過したことや調理終了を報知する。
【００２８】
以上のように構成された誘導加熱調理器について、その動作、作用を説明する。
【００２９】
まず、操作部（図示していない）などから加熱開始の信号が制御手段８に送られると、制御手段８はインバーター回路５の動作を制御し誘導加熱コイル４への通電を開始する。演算手段９および時間計測手段１０は、誘導加熱コイル４への通電開始と同時に、誘導加熱コイル４の駆動電力および通電時間の計測を開始する。誘導加熱コイル４に高周波電流が流れると、磁力線が発生し、その磁力線によって調理容器２の底にうず電流が発生する。そのうず電流によって調理容器２自体が発熱する。
【００３０】
通電開始すると、第１の温度検知手段６は、誘導加熱コイル４に対面した調理容器２の高温域の温度を検知し、第２の温度検知手段７は誘導加熱コイル４に対面しない調理容器２の低温域の温度を検知する。第１、第２の温度検知手段６、７の各検知信号は、演算手段９に送られる。時間計測手段１０が、所定時間を計測すると、演算手段９は第１、第２の温度検知手段６、７で検知された検知信号から所定時間における調理容器２底の温度差を演算する。温度差を演算するタイミング（所定時間）は、誘導加熱コイル４の駆動電力に応じて可変する。演算手段９は、所定時間における調理容器２底の温度差に基づき、インバーター回路５の動作を制御して誘導加熱コイル４に所望の高周波電流を供給する。
【００３１】
調理容器２底の温度差に基づいて被加熱物１の状態を判断する方法について説明する。
【００３２】
被加熱物１が固形たとえばホットケーキやハンバーグなどの場合、加熱初期において調理容器２の底面に接している面の温度が上昇する。しかし加熱が進むと、底面に接している面が加熱変化（たんぱく質の熱変性やでんぷんの糊化など）し、変化した部分が擬似的に断熱作用を持ち被加熱物の高さ方向への熱伝導が低下する。そこで発熱した熱は平面方向、つまり調理容器２底面全体に伝わる。そのため、調理容器２の底面はほぼ均一な温度となる。
【００３３】
一方、被加熱物１が液体あるいは液体と固形物の混合状態たとえばスープ、シチューなどの場合は、全体が一様に高温になるまでは時間が経過しても被加熱物１への高さ方向への熱伝熱が持続し、調理容器２底面全体への熱伝導は生じない。そのため、調理容器２の底面は高温部と低温部の温度差が生じたままとなる。
【００３４】
本実施の形態では図３に示すように、入力電力一定で誘導加熱コイル４に通電後、時間計測手段１０が所定時間を計測すると、演算手段９は、第１、第２の温度検知手段６、７の温度を測定し、第１、第２の温度検知手段６、７の温度差ΔＴ１を演算する。そして制御手段８は、ΔＴ１が所定値未満の場合は調理容器２内の被加熱物は固形であると判断し、ΔＴ１が所定値以上の場合は調理容器２内の被加熱物は液体あるいは液体と固形物の混合状態であると判断する（第一工程）。
【００３５】
制御手段８が被加熱物１が固形と判断した場合は、調理容器２の底面の温度むらは小さいため誘導加熱コイル外４ａ、誘導加熱コイル内４ｂの駆動電力を一律に可変制御する。所定時間加熱後に調理容器２が規定の温度に到達すると制御手段８は誘導加熱コイル４の入力電力を可変制御する。調理容器２の温度が規定温度に到達したら焦げ付きを防止するために電力を落とし、加熱を継続あるいは終了する。
【００３６】
一方、被加熱物１が液体あるいは液体と固形物の混合状態と判断した場合は、調理容器２の底面の発熱特性は誘導加熱コイル外４ａと誘導加熱コイル内４ｂの配置に影響を受けるため、誘導加熱コイル外４ａ、誘導加熱コイル内４ｂの入力電力をそれぞれ個別に可変制御する。例えば、誘導加熱コイル外４ａと誘導加熱コイル内４ｂへ交互に通電することで、調理容器２内に対流を発生させ、調理容器２底面の焦げ付きや加熱むらを解消する（第二工程）。
【００３７】
第二工程において、誘導加熱コイル４への通電容量が所定値以下の場合は、第１、第２の温度検知手段６、７が検知した低温側付近の加熱コイルへの通電を増やす。一方、誘導加熱コイル４への通電容量が所定値以上の場合は、温度検知手段が検知した高温側付近の加熱コイルへの通電を減らす。例えば、被加熱物１が液体では調理容器２の底面は誘導加熱コイル外４ａ付近の温度が高くなりやすい。そのため、通電容量が所定値以下の場合は、誘導加熱コイル内４ｂへの通電を増やし、通電容量が所定値以上の場合は誘導加熱コイル外４ａの通電を減らす。これにより、加熱時間を延長することなく加熱むらなどを解消しつつ調理を行うことができる。
【００３８】
所定温度に到達し、所定時間が経過すると、制御手段８は報知手段１１により使用者に加熱終了を報知する。
【００３９】
以上のように、本実施の形態の誘導加熱調理器によれば、複数の温度検知手段の検知温度から調理容器内の被加熱物の状態が正しく判断でき、これに基づき誘導加熱コイルを制御するので、加熱時の失敗を防ぐことができる。
【００４０】
なお、本実施の形態では、誘導加熱コイル４は２重としたが、それ以上の多重巻き構成としてもかまわない。また、第１の温度検知手段６は、誘導加熱コイル外４ａ、誘導加熱コイル内４ｂの間であれば、２つ以上設置してもかまわない。同心円上に複数の温度検知手段６、７を設けることで、調理容器２の置かれ方の影響を解消することができる。
【産業上の利用可能性】
【００４１】
以上のように、本発明に係わる誘導加熱調理器は、複数の温度検知手段の配設位置と温度検知手段の検知信号に基づいて誘導加熱コイルを制御することができるので、ビルトイン型、あるいは据置型、卓上型の誘導加熱調理器や電磁調理器に有効である。
【図面の簡単な説明】
【００４２】
【図１】本発明の実施の形態１における誘導加熱調理器の概略図
【図２】同誘導加熱調理器の要部拡大図
【図３】同誘導加熱調理器の被加熱物の状態を推定する場合の温度検知手段の昇温特性図
【符号の説明】
【００４３】
１  被加熱物
２  調理容器
３  容器載置部
４  誘導加熱コイル
６  第１の温度検知手段
７  第２の温度検知手段
８  制御手段
１０  時間計測時間
１１  報知手段
【図１】
2008135201.tif 000003
【図２】
2008135201.tif 000004
【図３】
2008135201.tif 000005